(57)【要約】【課題】光源の調光制御に伴う映像のちらつきを低減可能な表示装置の制御装置およびこれを備えた電子機器を提供すること。【解決手段】電子機器としての投射型表示装置１０００は、映像信号の解析を行う映像信号解析部２１１と、映像信号解析部２１１による解析結果に基づいて、光源としてのランプユニット１１０１の調光制御値を含む調光制御信号を生成する調光制御信号生成部２１２と、上記調光制御値と映像信号の補正量との関係が記憶された記憶部２１５と、映像信号の補正量に基づいた映像補正信号を生成する映像補正信号生成部２１４と、映像補正信号によって、映像信号を補正して光変調手段の液晶装置１００に出力する映像信号補正部２３１と、映像信号補正部２３１により補正された映像信号の出力タイミングを調光制御信号の出力タイミングよりも遅らせる映像信号遅延部としての調光制御信号処理部２１３と、を有する制御装置２００を備えている。【選択図】図５
2012042708.tif 000002
【特許請求の範囲】
【請求項１】
光変調手段に対して入力される映像信号と、光源から前記光変調手段に入射される光の輝度とを制御する制御装置であって、
前記映像信号の解析を行う映像信号解析部と、
前記映像信号解析部による解析結果に基づいて、前記光源の輝度を制御するための調光制御値を含む調光制御信号を生成する調光制御信号生成部と、
前記調光制御値と前記映像信号の補正量との関係が記憶された記憶部と、
前記映像信号の補正量に基づいた映像補正信号を生成する映像補正信号生成部と、
前記映像補正信号によって、前記映像信号を補正する映像信号補正部と、
前記映像信号補正部から出力される補正された前記映像信号の出力タイミングを前記調光制御信号の出力タイミングよりも遅らせる映像信号遅延部と、を備えたことを特徴とする制御装置。
【請求項２】
前記映像信号遅延部は、前記調光制御信号生成部と前記映像補正信号生成部との間にあって、時間軸上で段階的に前記調光制御値を変化させた映像補正用制御信号を前記映像補正信号生成部に送出することを特徴とする請求項１に記載の制御装置。
【請求項３】
前記映像信号遅延部は、目標の調光制御値と時間軸上における直前の調光制御値との差分を演算する第１演算部と、
前記差分に０以上１以下の間の係数を乗じて得られた演算値に前記直前の調光制御値を加えて時間軸上の現在の調光制御値を算出する第２演算部と、
前記現在の調光制御値が記憶される記憶部と、を備え、
前記第１演算部は、前記現在の調光制御値が前記目標の調光制御値となるまで時間軸上において演算を繰り返すことを特徴とする請求項２に記載の制御装置。
【請求項４】
前記映像信号遅延部は、前記調光制御信号生成部から出力された前記調光制御信号を記憶する少なくとも１つの記憶部と、
前記調光制御信号における少なくとも２つ以上の前記調光制御値を統計処理する統計処理部と、を備えていることを特徴とする請求項１に記載の制御装置。
【請求項５】
前記統計処理部は、複数の前記記憶部の中から所定の数の前記記憶部を選択し、選択された前記記憶部に記憶された前記調光制御信号の前記調光制御値を統計処理することを特徴とする請求項４に記載の制御装置。
【請求項６】
前記統計処理部は、複数の前記調光制御信号における前記調光制御値の平均値を算出することを特徴とする請求項４または５に記載の制御装置。
【請求項７】
前記統計処理部は、複数の前記調光制御信号における前記調光制御値の中央値を算出することを特徴とする請求項４または５に記載の制御装置。
【請求項８】
前記統計処理部は、複数の前記調光制御信号における前記調光制御値の最大値と最小値とを除いた平均値または中央値を算出することを特徴とする請求項６または７に記載の制御装置。
【請求項９】
前記記憶部は、前記映像信号における１フレームごとの前記調光制御値を記憶することを特徴とする請求項４乃至７のいずれか一項に記載の制御装置。
【請求項１０】
光変調手段と、
前記光変調手段に光を入射させる光源と、
請求項１乃至９のいずれか一項に記載の制御装置と、
を備えたことを特徴とする電子機器。
【請求項１１】
前記光源は、少なくとも赤色、緑色、青色の３色の色光を分離して発光させ、
前記光変調手段は、前記色光を変調することを特徴とする請求項１０に記載の電子機器。
【請求項１２】
前記光源は、少なくとも赤色、緑色、青色の３色の色光を分離して発光させ、
前記光変調手段は、前記色光ごとに対応して設けられていることを特徴とする請求項１０に記載の電子機器。
【発明の詳細な説明】
【技術分野】
【０００１】
本発明は、照明用の光源を有する表示装置を制御する制御装置およびこれを備えた電子機器に関する。
【背景技術】
【０００２】
上記制御装置として、例えば表示素子としての液晶パネルに対して光源からの光を入射させることで画像を表示する液晶表示装置を制御するものがある。
このような液晶表示装置においては、調光手段を用いて光源の輝度を制御するという技術が知られている（例えば、特許文献１参照）。特許文献１には、調光手段として開口を有する遮光板が例示されている。遮光板を移動または回転させることで遮光板を通過する光量を調整している。
また、例えば映像信号に応じて調光手段を制御し、映像信号に適した輝度を実現するように構成される投射型液晶表示装置が知られている（例えば、特許文献２参照）。該投射型液晶表示装置では、映像信号の１画面当たりの平均輝度、最大輝度、最小輝度などを検出する輝度検出回路と、調光手段として光源輝度変調回路とを有し、光源輝度変調回路は、輝度検出回路により検出された輝度情報に応じて光源の電源電圧を上げたり下げたりして光源の輝度を制御している。
【０００３】
また、このような調光制御において、映画やテレビなどのように画面の明るさがさまざまに変化する場合、明るさの変化に調光状態が追従しないと、映像がちらついて見えるなどの不具合を生ずることがある。これに対して、画像信号を再生する際に、調光制御信号を基に、再生する画像信号と同期して調光素子の光量を制御する映像表示方法あるいは映像表示装置が知られている（特許文献３）。
さらに特許文献３には、調光制御信号がホワイトバランス情報を含み、ホワイトバランス情報から撮影時の光源色を示す撮影時光源色情報を得た後、当該撮影時光源色情報を打ち消して、基準の色情報を示す基準点色情報に補正する補正光源情報を算出し、当該補正光源情報を基に、再生する画像信号と同期して調光素子の光量を制御することが開示されている。
【先行技術文献】
【特許文献】
【０００４】
【特許文献１】特開２００３−１８６１１１号公報
【特許文献２】特開平５−６６５０１号公報
【特許文献３】特開２００５−１１７６１６号公報
【発明の概要】
【発明が解決しようとする課題】
【０００５】
しかしながら、上記従来の調光制御において、特許文献２のように光源の電源電圧を直接的に制御して輝度を調整する場合は、特許文献１のように調光手段として機械的な遮光板を用いる場合に比べて、特許文献３のように画像信号と同期して調光素子の光量（輝度）を制御したとしても、輝度の変化に伴う光の色調変化が遅れて発生し、光の色調変化の遅れが映像の色ずれやちらつきとして見えてしまうという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例の制御装置は、光変調手段に対して入力される映像信号と、光源から前記光変調手段に入射される光の輝度とを制御する制御装置であって、前記映像信号の解析を行う映像信号解析部と、前記映像信号解析部による解析結果に基づいて、前記光源の輝度を制御するための調光制御値を含む調光制御信号を生成する調光制御信号生成部と、前記調光制御値と前記映像信号の補正量との関係が記憶された記憶部と、前記映像信号の補正量に基づいた映像補正信号を生成する映像補正信号生成部と、前記映像補正信号によって、前記映像信号を補正する映像信号補正部と、前記映像信号補正部から出力される補正された前記映像信号の出力タイミングを前記調光制御信号の出力タイミングよりも遅らせる映像信号遅延部と、を備えたことを特徴とする。
【０００８】
本適用例の制御装置によれば、例えばＲ（赤）、Ｇ（緑）、Ｂ（青）の３原色に対応した映像信号が入力された光変調手段に光源から光を入射させることにより表示を行う表示装置が制御される。光変調手段としては、透過型あるいは反射型の液晶装置やＤＭＤ（デジタル・ミラー・デバイス）などが挙げられる。
【０００９】
本適用例の制御装置の動作時には、先ず光変調手段に入力される映像信号が、映像信号解析部によって解析される。映像信号解析部は、具体的には、映像信号によって表示される映像の明るさなどを解析することで、後述する調光制御信号を生成するための情報や、映像信号に対する補正処理を行うための情報を得る。
【００１０】
続いて、調光制御信号生成部において、光源の輝度（言い換えれば、光源から光変調手段に入射される光量）を制御するための調光制御信号が生成される。調光制御信号は、光源を制御するための調光制御値（例えば、光源に与えられる電力値を制御する値）が含まれる信号である。調光制御信号生成部は、映像信号解析部における解析の結果に基づいて、調光制御信号を生成する。これにより、映像信号に応じた調光制御信号が生成される。
【００１１】
具体的には、映像信号が比較的明るい映像を表示させるようなものであった場合、比較的高い調光制御値（即ち、光源を明るくするような調光制御値）を含む調光制御信号が生成され、映像信号が比較的暗い映像を表示させるようなものであった場合、比較的低い調光制御値（即ち、光源を暗くするような調光制御値）を含む調光制御信号が生成される。このような、映像信号と調光制御値との関係は、実験的、理論的或いは経験的に予め求められている。
【００１２】
調光制御信号が生成されると、調光制御部によって、調光制御信号の調光制御値に応じた光源の輝度制御が行われる。これにより、映像の明るさに応じた光が光変調手段に入射するため、高いコントラストを実現することが可能となる。
【００１３】
他方で、映像補正信号生成部では、映像信号を補正するための映像補正信号が生成される。尚、ここでの「補正」は、光源の輝度を変化させることに起因する光の色調の変化に対応するための補正であり、例えば光のスペクトルが変化することによるホワイトバランスの変化（色ずれ）を小さくする効果を有する。映像補正信号は、調光制御信号に基づいて生成される。即ち、光源の明るさに応じた映像補正信号が生成される。このような、光源の明るさと映像補正信号との関係は、実験的、理論的或いは経験的に予め求められている。
【００１４】
記憶部には、調光制御値と映像信号の補正量との関係が記憶されている。具体的には、例えば調光制御信号に含まれる調光制御値と、該調光制御値に対応する映像信号の補正量の値との対応関係を示すテーブルなどが、記憶部の一例であるメモリーなどに予め記憶されている。映像信号の補正量は、調光制御信号に含まれる調光制御値による制御が行われた場合に、より高品質な映像を表示可能とするための補正量（即ち、入力された映像信号を、制御された輝度に適した映像信号とするための補正量）として、対応付けられている。
【００１５】
映像補正信号生成部においては、記憶部に記憶された映像信号の補正量の値から、生成された調光制御信号の調光制御値に対応する値を選択することで、映像補正信号が生成される。このため、映像補正信号生成部は、例えば調光制御信号に含まれる調光制御値などを用いた複雑な計算などを行わずとも、容易且つ的確に映像補正信号を生成できる。従って、装置構成や装置制御をより簡単なものとすることが可能である。
【００１６】
映像補正信号が生成されると、映像信号補正部によって、映像補正信号に応じた映像信号の補正が行われる。これにより、光の色調が変化することによる悪影響（例えばホワイトバランスの変化）を、殆ど或いは全く無くすことが可能となる。尚、映像信号の補正は、例えばＲ，Ｇ，Ｂの光の３原色に対応した映像信号の相対的な割合を変化させることで行われる。
【００１７】
補正された映像信号は、映像信号遅延部によって調光制御信号の出力タイミングよりも遅れて光変調手段に出力される。したがって、調光制御信号の調光制御値に基づいて調光制御部が光源の輝度を制御したときに実際に光源から発せられた光の色調変化が遅れて生じても、光の色調変化に対応させて補正された映像信号を光変調手段に入力させることが可能となる。よって、補正された映像信号による適正なタイミングの映像表示が行われる。補正された映像信号は、上述したように光の色調が変化することによる悪影響が低減されているため、高品質な映像を表示させることが可能となる。
【００１８】
以上説明したように、本適用例の制御装置によれば、光源の輝度を変化させることに起因する光の色調変化の遅れに対応させて、補正された映像信号が光変調手段に入力されるので、色ずれやちらつきなどが低減された高品質な映像を表示させることが可能である。
【００１９】
［適用例２］上記適用例の制御装置において、前記映像信号遅延部は、前記調光制御信号生成部と前記映像補正信号生成部との間にあって、時間軸上で段階的に前記調光制御値を変化させた映像補正用制御信号を前記映像補正信号生成部に送出することを特徴とする。
この構成によれば、光源の輝度を変化させることに起因する光の色調変化が段階的に生じた場合にも、これに対応させて調光制御値を変化させた映像補正用制御信号を映像補正信号生成部に送出できる。つまり、上記光の色調変化により適合させた状態で補正された映像信号を光変調手段に入力させて、高品質な映像を表示させることができる。
【００２０】
［適用例３］上記適用例の制御装置において、前記映像信号遅延部は、目標の調光制御値と時間軸上における直前の調光制御値との差分を演算する第１演算部と、前記差分に０以上１以下の間の係数を乗じて得られた演算値に前記直前の調光制御値を加えて時間軸上の現在の調光制御値を算出する第２演算部と、前記現在の調光制御値が記憶される記憶部と、を備え、前記第１演算部は、前記現在の調光制御値が前記目標の調光制御値となるまで時間軸上において演算を繰り返すことを特徴とする。
この構成によれば、０以上１以下の間の係数を光源から発せられる光の色調における時間的な変化に対応させて設定すれば、段階的な光の色調変化に対応させた適正なタイミングで補正された映像信号を送出することができる。
【００２１】
［適用例４］上記適用例の制御装置において、前記映像信号遅延部は、前記調光制御信号生成部から出力された前記調光制御信号を記憶する少なくとも１つの記憶部と、前記調光制御信号における少なくとも２つ以上の前記調光制御値を統計処理する統計処理部と、を備えていることを特徴とする。
この構成によれば、統計処理部によって少なくとも２つ以上の調光制御値を統計処理することにより、統計処理された映像補正用制御信号を映像補正信号生成部に送出するまでに時間を要する。したがって、結果的に補正された映像信号の出力タイミングを調光制御信号の出力タイミングに比べて、少なくとも統計処理を行った時間分遅らせることができる。
【００２２】
［適用例５］上記適用例の制御装置において、前記統計処理部は、複数の前記記憶部の中から所定の数の前記記憶部を選択し、選択された前記記憶部に記憶された前記調光制御信号の前記調光制御値を統計処理することが好ましい。
光源の輝度を変化させることによる光の色調変化は、光源の種類などによってもその変化の遅れ方が異なることがある。この構成によれば、光源ごとの光の色調変化の遅れに対応させて複数の記憶部のうちから所定の数を選択すればよい。したがって、光源の種類などに対した柔軟な調光制御を実現できる。
【００２３】
［適用例６］上記適用例の制御装置において、前記統計処理部は、複数の前記調光制御信号における前記調光制御値の平均値を算出することを特徴とする。
この構成によれば、調光制御信号生成部により生成された調光制御信号における調光制御値がねらいに対してばらついていたとしても、平均値を用いることにより適正化を図ることができる。
【００２４】
［適用例７］上記適用例の制御装置において、前記統計処理部は、複数の前記調光制御信号における前記調光制御値の中央値を算出するとしてもよい。
この構成によれば、調光制御信号生成部により生成された調光制御信号における調光制御値がねらいに対してばらついていたとしても、中央値を用いることにより適正化を図ることができる。
【００２５】
［適用例８］上記適用例の制御装置において、前記統計処理部は、複数の前記調光制御信号における前記調光制御値の最大値と最小値とを除いた平均値または中央値を算出することが好ましい。
この構成によれば、調光制御信号生成部により生成された調光制御信号における調光制御値が異常値を含む場合でも、異常値が含まれる最大値と最小値とを除くので、調光制御値の適正な平均値または中央値を提供できる。すなわち、映像補正信号生成部により適正な状態に補正された映像信号を生成可能となる。
【００２６】
［適用例９］上記適用例の制御装置において、前記記憶部は、前記映像信号における１フレームごとの前記調光制御値を記憶することを特徴とする。
この構成によれば、補正された映像信号が１フレームごとに適正なタイミングで出力される。
【００２７】
［適用例１０］本適用例の電子機器は、光変調手段と、前記光変調手段に光を入射させる光源と、上記適用例の制御装置と、を備えたことを特徴とする。
この構成によれば、映像を色ずれやちらつきなどが少ない高品位な状態で表示可能な電子機器を提供できる。
【００２８】
［適用例１１］上記適用例の電子機器において、前記光源は、少なくとも赤色、緑色、青色の３色の色光を分離して発光させ、前記光変調手段は、前記色光を変調することを特徴とする。
この構成によれば、フルカラーの映像を色ずれやちらつきなどが少ない高品位な状態で表示可能な電子機器を提供できる。
【００２９】
［適用例１２］上記適用例の電子機器において、前記光源は、少なくとも赤色、緑色、青色の３色の色光を分離して発光させ、前記光変調手段は、前記色光ごとに対応して設けられているとしてもよい。
この構成によれば、異なる発光色の光ごとの輝度変化に対応させて、補正された映像信号をそれぞれの光変調手段に入力可能となり、より優れた表示品位を実現できる。
【図面の簡単な説明】
【００３０】
【図１】電子機器としての投射型表示装置の構成を示す概略図。
【図２】（ａ）は光変調手段としての液晶装置の構成を示す概略正面図、（ｂ）は（ａ）のＦ−Ｆ’線で切った概略断面図。
【図３】液晶装置の電気的な構成を示す等価回路図。
【図４】光源の調光制御と光の色調変化との関係を示すグラフ。
【図５】実施例１の制御装置を含む投射型表示装置の電気的な構成を示すブロック図。
【図６】調光制御とホワイトバランスとの関係を示すＣＩＥｘｙ色度図。
【図７】調光制御値と映像信号の補正量との関係を示す表。
【図８】調光制御値のばらつきを示すグラフ。
【図９】実施例１の制御装置における調光制御信号処理部の電気的な構成を示すブロック図。
【図１０】制御装置の制御動作を示すフローチャート。
【図１１】実施例２の制御装置における調光制御信号処理部の電気的な構成を示すブロック図。
【図１２】実施例２の調光制御値の算出方法の一例を示すグラフ。
【発明を実施するための形態】
【００３１】
以下、本発明を具体化した実施形態について図面に従って説明する。なお、使用する図面は、説明する部分が認識可能な状態となるように、適宜拡大または縮小して表示している。
【００３２】
本実施形態は、電子機器として投射型表示装置を例に挙げ、この投射型表示装置に用いられた光変調手段と、光源と、これらを制御する制御装置について説明する。
【００３３】
＜電子機器＞
図１は電子機器としての投射型表示装置の構成を示す概略図、図２（ａ）は光変調手段としての液晶装置の構成を示す概略正面図、同図（ｂ）は同図（ａ）のＦ−Ｆ’線で切った概略断面図、図３は液晶装置の電気的な構成を示す等価回路図である。
【００３４】
図１に示すように、本実施形態の電子機器としての投射型表示装置１０００は、システム光軸Ｌに沿って配置された偏光照明装置１１００と、光分離素子としての２つのダイクロイックミラー１１０４，１１０５と、３つの反射ミラー１１０６，１１０７，１１０８と、５つのリレーレンズ１２０１，１２０２，１２０３，１２０４，１２０５と、３つの光変調手段としての透過型の液晶ライトバルブ１２１０，１２２０，１２３０と、光合成素子としてのクロスダイクロイックプリズム１２０６と、投射レンズ１２０７とを備えている。
【００３５】
偏光照明装置１１００は、超高圧水銀灯やハロゲンランプなどの白色光源からなる光源としてのランプユニット１１０１と、インテグレーターレンズ１１０２と、偏光変換素子１１０３とから概略構成されている。
【００３６】
ダイクロイックミラー１１０４は、偏光照明装置１１００から射出された偏光光束のうち、赤色光（Ｒ）を反射させ、緑色光（Ｇ）と青色光（Ｂ）とを透過させる。もう１つのダイクロイックミラー１１０５は、ダイクロイックミラー１１０４を透過した緑色光（Ｇ）を反射させ、青色光（Ｂ）を透過させる。
【００３７】
ダイクロイックミラー１１０４で反射した赤色光（Ｒ）は、反射ミラー１１０６で反射した後にリレーレンズ１２０５を経由して液晶ライトバルブ１２１０に入射する。
ダイクロイックミラー１１０５で反射した緑色光（Ｇ）は、リレーレンズ１２０４を経由して液晶ライトバルブ１２２０に入射する。
ダイクロイックミラー１１０５を透過した青色光（Ｂ）は、３つのリレーレンズ１２０１，１２０２，１２０３と２つの反射ミラー１１０７，１１０８とからなる導光系を経由して液晶ライトバルブ１２３０に入射する。
【００３８】
液晶ライトバルブ１２１０，１２２０，１２３０は、クロスダイクロイックプリズム１２０６の色光ごとの入射面に対してそれぞれ対向配置されている。液晶ライトバルブ１２１０，１２２０，１２３０に入射した色光は、映像情報（映像信号）に基づいて変調されクロスダイクロイックプリズム１２０６に向けて射出される。このプリズムは、４つの直角プリズムが貼り合わされ、その内面に赤色光を反射する誘電体多層膜と青色光を反射する誘電体多層膜とが十字状に形成されている。これらの誘電体多層膜によって３つの色光が合成されて、カラー画像を表す光が合成される。合成された光は、投射光学系である投射レンズ１２０７によってスクリーン１３００上に投射され、画像が拡大されて表示される。
【００３９】
液晶ライトバルブ１２１０は、後述する透過型の液晶装置１００（図２参照）が適用されたものであって、液晶装置１００は、色光の入射側と射出側とにおいてクロスニコルに配置された一対の偏光素子の間に隙間を置いて配置されている。他の液晶ライトバルブ１２２０，１２３０も同様である。
【００４０】
図２（ａ）および（ｂ）に示すように、液晶装置１００は、一対の基板としての素子基板１０および対向基板２０と、これら一対の基板によって挟持された電気光学素子としての液晶層５０とを有する。
素子基板１０は、例えば透明な石英基板あるいは不透明なシリコン基板を用いることができる。サイズは対向基板２０よりも大きく、対向基板２０の１辺部側に突出した端子部１０ａを有する。
対向基板２０は、透明な例えば石英基板を用いることができる。両基板は、シール４０を介して接合され、その隙間に正または負の誘電異方性を有する液晶が封入されて液晶層５０を構成している。具体的には、一対の基板のいずれか一方に額縁状にシール４０を配置した後に、シール４０が配置された方の基板を下方にして両基板を減圧雰囲気下に対向配置する。そして、シール４０の内側に所定量の液晶を滴下した後に、両基板を重ね合わせて接合するＯＤＦ（One  Drop  Fill）方式によって液晶が封入されている。なお、液晶を封入する方法はＯＤＦに限るものではなく、シール４０に注入口を設けて液晶を注入した後に、該注入口を封止する方式であってもかまわない。
【００４１】
額縁状に配置されたシール４０の内側には、複数の画素Ｐがマトリックス状に配置された画素領域Ｅが設けられている。また、画素領域Ｅとシール４０との間には、素子基板１０の端子部１０ａに沿って信号線駆動回路としてのデータ線駆動回路１０１が設けられている。該端子部１０ａと直交し互いに対向する他の２辺部に沿って同じく信号線駆動回路としての走査線駆動回路１０２が設けられている。該端子部１０ａと対向する他の１辺部に沿って検査回路１０３が設けられている。これらのデータ線駆動回路１０１、走査線駆動回路１０２、検査回路１０３を周辺回路と呼ぶ。
周辺回路のうちデータ線駆動回路１０１と走査線駆動回路１０２とにそれぞれ電気的に接続された配線１０５ａが端子部１０ａに配列した複数の外部接続用端子１０４にそれぞれ接続している。また、２つの走査線駆動回路１０２を繋ぐ複数の配線１０５ｂが該端子部１０ａと対向する他の１辺部に沿って検査回路１０３との間に設けられている。
【００４２】
図２（ｂ）に示すように、素子基板１０の液晶層５０側の表面には、画素Ｐごとに設けられた画素電極１５と、画素電極１５の電気的な制御に係るスイッチング素子としての薄膜トランジスター（Thin  Film  transistor；ＴＦＴ）３０と、ＴＦＴ３０に繋がる信号線類と、画素電極１５を覆う配向膜１８とが形成されている。
【００４３】
対向基板２０の液晶層５０側の表面には、額縁状の見切り部２１と、見切り部２１を覆う平坦化層２２と、平坦化層２２を覆うように成膜された共通電極２３と、共通電極２３を覆う配向膜２４とが形成されている。
【００４４】
見切り部２１は、遮光性を有する例えば、ＮｉやＣｒなどの金属材料またはその酸化物などの金属化合物や、遮光性の顔料などを含有した樹脂材料を用いて形成されている。
また、素子基板１０に設けられる少なくとも上記周辺回路と平面的に重なるように額縁状に形成されている。これにより、周辺回路へ侵入する光を遮断して、周辺回路における光誤動作を防いでいる。さらには、不必要な光が画素領域Ｅに入射することを防いでいる。
【００４５】
平坦化層２２は、透明な例えばシリコン酸化膜などの無機材料やアクリル系樹脂など有機材料を用いて形成されている。
【００４６】
共通電極２３は、透明であって、例えばＩＴＯ（Indium  Tin  Oxide）などの導電性材料を用いて蒸着法やスパッタ法により成膜されている。
【００４７】
配向膜１８，２４は、例えばポリイミドなどの有機樹脂材料や酸化シリコンなどの無機材料からなる。液晶層５０における液晶分子は、例えばノーマリーブラックの光学設計条件に基づいて配向膜１８，２４の表面において所定の方位角とプレチルト角とが与えられ、配向膜面において配向している。
【００４８】
対向基板２０に設けられた共通電極２３は、図２（ａ）に示すように対向基板２０の四隅に設けられた上下導通部１０６により素子基板１０側の配線１０５ｃに電気的に接続している。配線１０５ｃの一方の端は、端子部１０ａに向けて延設され、外部接続用端子１０４に接続している。
【００４９】
上記配線１０５ａ，１０５ｂ，１０５ｃは、例えばＡｌ（アルミニウム）やその合金などの低抵抗金属材料からなるものであり、これに接続された外部接続用端子１０４は、該低抵抗金属材料からなる基部にさらに低抵抗なＡｕ（金）などのメッキが施されたものである。外部接続用端子１０４だけが端子部１０ａに露出するように、これに繋がる上記配線１０５ａ，１０５ｂ，１０５ｃは保護膜（図示省略）で覆われている。
【００５０】
図３に示すように、液晶装置１００は、少なくとも画素領域Ｅにおいて互いに絶縁されて直交する信号線としての複数の走査線３ａおよび複数のデータ線６ａと、走査線３ａに対して一定の間隔を置いて平行するように配置された容量線３ｂとを有する。
【００５１】
走査線３ａとデータ線６ａならびに容量線３ｂと、これらの信号線類により区分された領域に、画素電極１５と、ＴＦＴ３０と、保持容量１６とが設けられ、これらが画素Ｐの画素回路を構成している。
【００５２】
走査線３ａはＴＦＴ３０のゲートに電気的に接続され、データ線６ａはＴＦＴ３０のソースに電気的に接続されている。画素電極１５はＴＦＴ３０のドレインに電気的に接続されている。
データ線６ａはデータ線駆動回路１０１（図２参照）に接続されており、データ線駆動回路１０１から供給される画像信号Ｄ１，Ｄ２，…，Ｄｎを画素Ｐに供給する。走査線３ａは走査線駆動回路１０２（図２参照）に接続されており、走査線駆動回路１０２から供給される走査信号ＳＣ１，ＳＣ２，…，ＳＣｍを各画素Ｐに供給する。データ線駆動回路１０１からデータ線６ａに供給される画像信号Ｄ１〜Ｄｎは、この順に線順次で供給してもよく、互いに隣接する複数のデータ線６ａ同士に対してグループごとに供給してもよい。走査線駆動回路１０２は、走査線３ａに対して、走査信号ＳＣ１〜ＳＣｍを所定のタイミングでパルス的に線順次で供給する。
【００５３】
液晶装置１００は、スイッチング素子であるＴＦＴ３０が走査信号ＳＣ１〜ＳＣｍの入力により一定期間だけオン状態とされることで、データ線６ａから供給される画像信号Ｄ１〜Ｄｎが所定のタイミングで画素電極１５に書き込まれる構成となっている。そして、画素電極１５を介して液晶層５０に書き込まれた所定レベルの画像信号Ｄ１〜Ｄｎは、画素電極１５と液晶層５０を介して対向配置された共通電極２３との間で一定期間保持される。
保持された画像信号Ｄ１〜Ｄｎがリークするのを防止するため、画素電極１５と共通電極２３との間に形成される液晶容量と並列に保持容量１６が接続されている。保持容量１６は、ＴＦＴ３０のドレインと容量線３ｂとの間に設けられている。
【００５４】
なお、図２（ａ）に示した検査回路１０３には、データ線６ａが接続されており、液晶装置１００の製造過程において、上記画像信号を検出することで液晶装置１００の動作欠陥などを確認できる構成となっているが、図３の等価回路では省略している。また、検査回路１０３は、上記画像信号をサンプリングしてデータ線６ａに供給するサンプリング回路、データ線６ａに所定電圧レベルのプリチャージ信号を画像信号に先行して供給するプリチャージ回路を含むものとしてもよい。
【００５５】
前述したように、光変調手段（液晶ライトバルブ）に用いられる液晶装置１００は、投射型表示装置１０００において、赤（Ｒ）、緑（Ｇ）、青（Ｂ）の各色光ごとに設けられている。すなわち、個々の液晶装置１００に与えられる上記画像信号および上記走査信号は、映像情報におけるＲ，Ｇ，Ｂの色光ごとの映像信号に基づいて生成されたものである。
【００５６】
図４は光源の調光制御と光の色調変化との関係を示すグラフである。
本実施形態における投射型表示装置１０００においては、上記色光ごとの映像信号を解析して、光源としてのランプユニット１１０１の輝度を上げたり下げたりする調光制御が行われている。具体的には、ランプユニット１１０１に供給される電力（Ｗ）を上げたり下げたりすることで輝度（明るさ）を制御している。
【００５７】
図４に示すように、例えばランプユニット１１０１において所定の輝度（１．０）が得られる電力（Ｗ）を１００％として、電力（Ｗ）を上げ下げして輝度を変化させると、得られる光の色調（例えば光のスペクトル分布）も変化することが知られている。また、光の色調変化は、輝度の変化に同期しておらず、遅れて発生することが確認された。
このような時間軸上の光の色調変化における遅れ（図４では例えばΔｔとして示した）は、本実施形態のように光源であるランプユニット１１０１に与える電力（Ｗ）を制御して、直接的に輝度を制御する場合に顕著である。例えば、特許文献１（特開２００３−１８６１１１号公報）に示されたように、光源には一定の電力を供給して一定の輝度で発光させ、遮光板などの機械的な調光手段によって射出された発光の光量を制御する方法などに比べて顕著であり、光の色調変化の輝度変化に対する時間的な遅れΔｔが映像の「色ずれ」や「ちらつき」となって認識されるおそれがある。
【００５８】
発明者は、上記光の色調変化に対応した映像信号の補正を行うと共に、上記映像の「色ずれ」や「ちらつき」を改善すべく、光源と光変調手段とを制御する制御装置を開発した。以降、実施例を挙げて説明する。
【００５９】
（実施例１）
図５は実施例１の制御装置を含む投射型表示装置の電気的な構成を示すブロック図、図６は調光制御とホワイトバランスとの関係を示すＣＩＥｘｙ色度図、図７は調光制御値と映像信号の補正量との関係を示す表、図８は調光制御値のばらつきを示すグラフである。
【００６０】
図５に示すように、実施例１の投射型表示装置１０００は、光変調手段（液晶ライトバルブ）に用いられる液晶装置１００と、液晶装置１００に光（色光）を照射する光源としてのランプユニット１１０１と、液晶装置１００およびランプユニット１１０１を制御する制御装置２００と、を備えている。
【００６１】
制御装置２００は、映像信号解析回路２１０と、ランプ駆動回路２２０と、ビデオ処理回路２３０とを有している。
【００６２】
映像信号解析回路２１０は、映像信号解析部２１１と、調光制御信号生成部２１２と、映像信号遅延部としての調光制御信号処理部２１３と、映像補正信号生成部２１４と、記憶部２１５とを備えている。
【００６３】
映像信号解析部２１１は、映像信号解析回路２１０に入力された映像信号を解析して、例えば映像信号によって表示される映像の明るさなどの情報を得る。
【００６４】
調光制御信号生成部２１２は、映像信号解析部２１１の解析結果に基づいて、調光制御信号を生成する。具体的には、映像信号によって表示される映像の明るさに応じた調光制御値（すなわち、光源に供給される電力（Ｗ）を制御するための値）を含んだ信号を生成する。生成された調光制御信号は、ランプ駆動回路２２０における調光制御部２２１に送出されると同時に、調光制御信号処理部２１３にも送出される。
【００６５】
調光制御信号処理部２１３は、調光制御信号生成部２１２と映像補正信号生成部２１４との間にあって、調光制御信号生成部２１２が生成した調光制御信号に対して、所定の処理を施した調光制御信号を映像補正信号生成部２１４に送出する。
【００６６】
映像補正信号生成部２１４は、調光制御信号処理部２１３により処理された調光制御信号に含まれる調光制御値に基づいて、映像信号を補正するための映像補正信号を生成する。生成された映像補正信号は、ビデオ処理回路２３０における映像信号補正部２３１に送出される。映像補正信号の詳細については後述する。
【００６７】
記憶部２１５は、例えばＲＡＭである。調光制御信号における調光制御値と映像信号の補正量との関係を示すテーブルが記憶されている。テーブルの詳細については後述する。
【００６８】
ランプ駆動回路２２０は、例えば一または複数の集積回路を含んでなる回路であり、調光制御部２２１を備えている。調光制御部２２１は、映像信号解析回路２１０から送出される調光制御信号における調光制御値に応じてランプユニット１１０１に供給される電力（Ｗ）を制御することができる。
【００６９】
ビデオ処理回路２３０は、例えば一または複数の集積回路を含んでなる回路であり、映像信号補正部２３１を備えている。映像信号補正部２３１は、映像信号解析回路２１０から送出される映像補正信号に基づいて映像信号を補正することができる。具体的な補正方法については後述する。なお、ビデオ処理回路２３０は、映像信号補正部２３１の他にも映像信号に対して各種処理（例えば、γ補正処理など）を行う複数の回路を含むものである。
【００７０】
上記制御装置２００によれば、調光制御信号処理部２１３で調光制御信号に所定の処理を施してから映像補正信号生成部２１４に送出するので、調光制御信号がランプ駆動回路２２０に出力されるタイミングに対して、ビデオ処理回路２３０の映像信号補正部２３１が補正された映像信号を液晶装置１００に出力するタイミングを実質的に遅らせることができる。つまり、調光制御信号に基づくランプユニット１１０１の輝度の変化よりも遅れて発生する光の色調変化のタイミングに合わせて補正された映像信号を液晶装置１００に送出可能とした。詳しくは、後述する調光制御方法において説明する。
【００７１】
図６に示すように、ＣＩＥｘｙ色度図上において、ランプユニット１１０１に供給する電力（Ｗ）を例えば輝度が最大となる所定の値に対して例えば１００％から２０％程度まで変化させると、映像信号を補正しない状態では、投射型表示装置１０００における白を表示させたときの色座標（ｘ，ｙ）は、ほぼ直線的に変化した。具体的には、供給される電力（Ｗ）が上記所定の値に対して１００％のときには、色座標（ｘ，ｙ）が（０．３２５，０．４００）となり目視ではほぼ白く見えた。これに対して供給される電力（Ｗ）が所定の値の２０％となると白を表示させたときの色座標（ｘ，ｙ）が（０．３７８，０．５２０）となってやや緑がかって見えた。
【００７２】
本実施形態では、このようなランプユニット１１０１の輝度の変化に伴う白表示時の色調変化（ホワイトバランス）を補正すべく、調光制御信号における調光制御値と、色光ごとに設けられた各液晶装置１００における映像信号の補正量との関係を導いて、記憶部２１５に予め記憶させた。
【００７３】
具体的には、記憶部２１５には、図７に示すようなテーブル（表）が記憶されている。ここでの調光制御値は、前述したようにランプユニット１１０１に供給される電力（Ｗ）を、所定の値に対する百分率の値としている。そしてテーブルには、調光制御値に対応する値として、Ｒ（赤）、Ｇ（緑）、Ｂ（青）の３つの映像信号をそれぞれ補正するための補正係数が記憶されている。ＲＧＢにそれぞれ対応する補正係数は、例えば以下に示す手法で導出することができる。
【００７４】
先ず、光源の出力を制御した際のＷ（白）、及びＲＧＢの色特性Ｘ、Ｙ、Ｚを測定する。ここで、ＷとＲＧＢとの間には、以下の数式（１）の関係が成り立つ。
【００７５】
Ｗ＝Ｒ＋Ｇ＋Ｂ  ・・・（１）
そしてＷの色特性ＸＷ、ＹＷ、ＺＷと、Ｒの色特性ＸＲ、ＹＲ、ＺＲと、Ｇの色特性ＸＧ、ＹＧ、ＺＧと、Ｂの色特性ＸＢ、ＹＢ、ＺＢとの関係は、係数ａ及びｂを用いて、以下の数式（２）から（４）で表すことができる。
【００７６】
ＸＷ＝ａＸＲ＋ＸＧ＋ｂＸＢ  ・・・（２）
ＹＷ＝ａＹＲ＋ＹＧ＋ｂＹＢ  ・・・（３）
ＺＷ＝ａＺＲ＋ＺＧ＋ｂＺＢ  ・・・（４）
ここで、以下の数式（５）及び（６）で表される係数ｘ及びｙを考える。
【００７７】
ｘ＝Ｘ／（Ｘ＋Ｙ＋Ｚ）  ・・・（５）
ｙ＝Ｙ／（Ｘ＋Ｙ＋Ｚ）  ・・・（６）
そして、この係数ｘ及びｙの値が初期値から変わらないような係数ａ及びｂを計算する。このときのａがＲ用補正係数、１がＧ用補正係数、ｂがＢ用補正係数となる。尚、ａまたはｂの値が“１”を超える場合は、大きい方の値で他の２つの係数を割ったものが補正係数となる。例えば、ａ＞ｂ且つａ＞１の場合、Ｒ用補正係数はａ／ａ＝１、Ｇ用補正係数は１／ａ、Ｂ用補正係数はｂ／ａとなる。
【００７８】
このように、ある１つの映像信号に対する係数が“１”となるようにすれば、補正に係る処理を比較的簡単なものとすることができる。例えば、図７に示すテーブルでは、Ｂ用補正係数が基準として“１”になるように設定されているため、実質的には、Ｒ及びＧの２つの映像信号を補正すれば済む。
【００７９】
またテーブルには、調光制御値がとり得る値すべてについて、補正係数が記憶されていなくともよい。仮に、記憶部２１５に記憶されていないような調光制御値が決定された場合であっても、例えば直線近似などを用いて値を補間することで、適切な補正係数を導き出すことができる。
【００８０】
映像信号解析部２１１は、例えば１フレームごとの映像信号を解析して映像の明るさを示す情報を収集する。調光制御信号生成部２１２は、映像信号の１フレームにおける明るさの情報に対応した調光制御信号を生成する。したがって、図８に示すように、時間経過に伴い、映像信号の１フレームに対応した調光制御値が得られる。このような調光制御値の時間軸における変化は、映像信号における明るさの変化に基づいているが、例えばランプユニット１１０１として超高圧水銀灯を用いた場合には、ランプ駆動回路２２０における電力制御の電圧値は高電圧（数百Ｖ）となり、ランプ駆動回路２２０からのノイズによって異常値を示すことがあった。図８における調光制御値のＭａｘ値またはＭｉｎ値は、このようなノイズに起因する異常値を含む場合もある。
【００８１】
図９は実施例１の制御装置における調光制御信号処理部の電気的な構成を示すブロック図である。
本実施形態における制御装置２００の調光制御信号処理部２１３は、上述した調光制御値のばらつきを考慮して構成されている。
【００８２】
具体的には、図９に示すように、調光制御信号処理部２１３は、４つの記憶部Ｍ１，Ｍ２，Ｍ３，Ｍ４と、統計処理部２１３ａとを備えている。
【００８３】
４つの記憶部Ｍ１，Ｍ２，Ｍ３，Ｍ４はそれぞれ統計処理部２１３ａに接続されている。調光制御信号生成部２１２から送出された調光制御信号は、まず記憶部Ｍ１に所定の期間記憶される。所定の期間とは例えば前述した映像信号の１フレームに相当する期間である。そして、所定の期間が過ぎて次の調光制御信号が記憶部Ｍ１に入力されると、先に記憶された調光制御信号は記憶部Ｍ１から記憶部Ｍ２へと送出され記憶される。このようにして、逐次調光制御信号が記憶部Ｍ１，Ｍ２，Ｍ３，Ｍ４に記憶されてゆく構成となっている。
【００８４】
統計処理部２１３ａは、記憶部Ｍ１，Ｍ２，Ｍ３，Ｍ４に記憶された複数の調光制御信号のうちの少なくとも２つ以上の調光制御信号における調光制御値を読み込んで、統計的な処理を施した後に映像補正用制御信号として映像補正信号生成部２１４へ送出することができる。したがって、統計処理部２１３ａにおいて統計的な処理を施すに必要な時間だけ、映像補正信号の生成を遅らせることができる。具体的な統計処理については、後述する調光制御方法において説明する。
【００８５】
＜調光制御方法＞
図１０は、制御装置の制御動作を示すフローチャートである。図１０に示すように、本実施形態における制御装置２００の制御動作すなわち調光制御方法は、映像信号解析工程（ステップＳ１）と、調光制御信号生成工程（ステップＳ２）と、調光制御工程（ステップＳ３）と、統計処理工程（ステップＳ４）と、映像補正信号生成工程（ステップＳ５）と、映像補正工程（ステップＳ６）とを備えている。ステップＳ２において調光制御信号が生成されると、ステップＳ３とステップＳ４〜ステップＳ６とは並行して処理が進行する。
【００８６】
ステップＳ１では、前述したように、制御装置２００の映像信号解析回路２１０における映像信号解析部２１１は、入力された映像信号を１フレームごとに解析して、１フレームごとの映像の明るさの情報を得る。そして、ステップＳ２へ進む。
【００８７】
ステップＳ２では、調光制御信号生成部２１２は、映像信号解析部２１１によって得られた１フレームごとの映像の明るさの情報に基づいた調光制御値の情報を含む調光制御信号を生成する。そして、ステップＳ３およびステップＳ４へ進む。
【００８８】
ステップＳ３では、ランプ駆動回路２２０における調光制御部２２１は、調光制御信号の調光制御値に応じてランプユニット１１０１に供給する電力（Ｗ）を制御する。
【００８９】
一方、ステップＳ４では、調光制御信号処理部２１３における統計処理部２１３ａは、４つの記憶部Ｍ１，Ｍ２，Ｍ３，Ｍ４に記憶された調光制御信号の調光制御値を統計的に処理する。統計処理の仕方には、いくつかの方法が挙げられる。
【００９０】
例えば、４つの記憶部Ｍ１，Ｍ２，Ｍ３，Ｍ４に記憶された調光制御信号の調光制御値のうち少なくとも２つ以上の調光制御値を用いて平均値を算出する方法。あるいは、３つ以上の調光制御値を用いて中央値を算出する方法がある。平均値の算出は調光制御値が一定の範囲で均等にばらついている場合に有効であり、中央値の算出は調光制御値が一定の範囲内で偏ってばらついている場合に有効である。これにより、適正な調光制御値を算出することができる。
【００９１】
また、前述したように調光制御値は、ランプ駆動回路２２０におけるノイズなどの影響を受けて異常値を示すことがあるので、例えば、４つの記憶部Ｍ１，Ｍ２，Ｍ３，Ｍ４に記憶された調光制御信号の調光制御値のうち最大値と最小値とを除いた残り２つの調光制御値の平均値を算出するとしてもよい。このようにすれば、異常値の影響を排除してより適正な調光制御値を算出することができる。
【００９２】
このような調光制御値の統計処理の方法は、投射型表示装置１０００の電気的な構成、とりわけ光源がどのような仕様であるかを考慮して行うことが望ましい。すなわち、光源に供給される電力（Ｗ）を制御して直接的に輝度を制御する場合、輝度の変化に伴う光の色調変化の遅れΔｔは光源の仕様によっても異なることが考えられる。
したがって、調光制御信号処理部２１３において、記憶部は、４つに限定されることはなく、光の色調変化の遅れΔｔを考慮した数の記憶部を設けておくことがよい。あるいは、複数の記憶部を設けておき、光の色調変化の遅れΔｔによって選択される記憶部の数を異ならせてもよい。このようにすれば、光源の仕様の変化にも柔軟に対応可能な制御装置２００を構成することができる。
なお、複数の記憶部を設ける場合、調光制御値のデジタル処理を考慮すると、記憶部の数は偶数であることが望ましい。そして、ステップＳ５へ進む。
【００９３】
ステップＳ５では、映像補正信号生成部２１４は、統計処理部２１３ａによって算出された調光制御値を含む映像補正用制御信号に基づいた映像補正信号を生成する。そして、ステップＳ６へ進む。
【００９４】
ステップＳ６では、ビデオ処理回路２３０の映像信号補正部２３１は、ステップＳ５で生成された映像補正信号と、映像信号解析回路２１０の記憶部２１５に記憶された調光制御値と映像信号の補正量との関係を示したテーブル（図７参照）とを参照して、適正化された調光制御値に対応するＲ用補正係数、Ｇ用補正係数を求めて、ＲおよびＧに対応する映像信号を補正して、それぞれの色光に対応する液晶装置１００に出力する。
【００９５】
このような実施例１の制御装置２００による調光制御方法によれば、調光制御信号の出力タイミングに対して、補正された映像信号の出力タイミングを実質的に遅らせることができる。これにより、光源であるランプユニット１１０１の調光制御に伴う光の色調変化の遅れに対応させて、適正に補正された映像信号が出力され、色ずれやちらつきなどが目立たない優れた表示品位を実現できる。
【００９６】
また、実施例１の調光制御信号処理部２１３の構成によれば、調光制御値がばらついていても適正な調光制御値に基づく映像信号の補正が可能となる。さらには、ランプ駆動回路２２０のノイズなどにより調光制御信号に異常な調光制御値が含まれていたとしても、これを排除して適性な調光制御値に基づく映像信号の補正を実現できる。
【００９７】
（実施例２）
図１１は、実施例２の制御装置における調光制御信号処理部の電気的な構成を示すブロック図、図１２は実施例２の調光制御値の算出方法の一例を示すグラフである。
【００９８】
図５に示した制御装置２００の映像信号解析回路２１０における調光制御信号処理部２１３の構成は、実施例１に示したものに限定されず、以降説明する実施例２の構成としてもよい。
【００９９】
図１１に示すように、実施例２の調光制御信号処理部２５０は、目標の調光制御値と時間軸上における直前の調光制御値との差分を演算する第１演算部２５１と、当該差分に０以上１以下の間の係数を乗ずる第２演算部２５２と、第２演算部２５２により得られた演算値に直前の調光制御値を加えて時間軸上の現在の調光制御値を算出する第３演算部２５３と、現在の調光制御値が記憶される記憶部２５４と、を備えている。第１演算部２５１は、現在の調光制御値が目標の調光制御値となるまで時間軸上において演算を繰り返して行う。上記０以上１以下の係数は、例えば記憶部２５５に予め記憶されており、第２演算部２５２は記憶部２５５に記憶された係数を参照して演算を繰り返して行う。
【０１００】
調光制御信号処理部２５０は、例えば図１２に示すように、時間軸上において、時間ｔ0の段階で調光制御信号生成部２１２が映像信号解析部２１１によって得られた映像の明るさの情報に基づいて、目標となる調光制御値（目標値）を含む調光制御信号を生成する。
【０１０１】
第１演算部２５１は、目標の調光制御値と直前の調光制御値との差分を演算して求める。求められた差分に対して第２演算部２５２は０以上１以下の係数を乗ずる。当該係数を乗じて得られた差分（演算値）に対して第３演算部２５３は直前の調光制御値を加える。これにより時間ｔ1において目標値よりも小さい現在の調光制御値（図１２に示した現在値）が求められる。このようにして求められた現在値が目標値となるまで演算を繰り返す（この場合、時間ｔ1〜時間ｔ5まで）。記憶部２５４には演算の都度、求められた現在値すなわち映像補正用の制御値が記憶される。映像補正信号生成部２１４は、記憶部２５４に記憶された現在の映像補正用の制御値（現在値）を参照して、映像補正信号を生成する。
【０１０２】
したがって、例えば図１２のように映像補正用の制御値（現在値）が時間の経過に伴って２次曲線上を推移するように上記係数を設定しておけば、時間軸上において目標値まで段階的に変化させた上記制御値（現在値）を算出して映像補正信号生成部２１４に送り込むことができる。
【０１０３】
つまり、光源であるランプユニット１１０１の調光制御に伴う光の色調変化が例えば２次曲線上を経由するように変化する場合には、その変化に対応させて補正された映像信号を液晶装置１００に出力することができる。よって、目標の調光制御値を含む調光制御信号の出力タイミングに対して、補正された映像信号の出力タイミングを段階的に遅らせて送出することができる。
【０１０４】
上記０以上１以下の係数の設定は、図１２に示したように上記制御値（現在値）が２次曲線上を段階的に変化するものに限定されず、例えば、目標値まで直線的に変化するように設定してもよい。このような係数の設定は、光源としてのランプユニット１１０１における上記光の色調変化が実際にどのように現れるかによって、色ずれやちらつきが目立ち難くなる値を演算の単位時間（時間ｔ0〜時間ｔ1に要する単位時間）ごとに予め求めておく。
【０１０５】
実施例２の調光制御信号処理部２５０を備えた制御装置２００によれば、段階的に変化する光の色調変化に対応させて、適正な値に補正された映像信号を液晶装置１００に送出することができる。したがって、投射型表示装置１０００において調光制御に伴う色ずれやちらつきが低減され、優れた表示品位の映像表示が可能となる。
【０１０６】
なお、調光制御信号を用いた映像信号処理を説明する関係で、第１演算部２５１、第２演算部２５２、第３演算部２５３をそれぞれ独立させた構成としたが、これに限定されず、第２演算部２５２は第３演算部２５３の演算機能を含むものとしてもよい。あるいは、すべての演算機能を１つの演算部にまとめて行わせることも可能である。
【０１０７】
上記実施形態以外にも様々な変形例が考えられる。以下、変形例を挙げて説明する。
【０１０８】
（変形例１）上記実施形態において、投射型表示装置１０００における光変調手段（液晶ライトバルブ）に用いられる液晶装置１００は、透過型に限定されない。反射型の液晶装置（例えばＬＣＯＳ；Liquid crystal on silicon）としてもよい。
また、光変調手段は液晶装置１００を用いたものに限定されず、ＤＭＤ（Digital Micromirror Device）を用いた場合にも、制御装置２００による調光制御を適用できる。
さらには、光変調手段は、色光ごとに設けることに限定されず、１つの光変調手段に対して異なるタイミングで少なくとも赤（Ｒ）、緑（Ｇ）、青（Ｂ）の色光が入射するように構成してもよい。
【０１０９】
（変形例２）上記実施形態において、映像信号補正部２３１から出力される補正された映像信号の出力タイミングを調光制御信号の出力タイミングよりも遅らせる映像信号遅延部は、実施例１の調光制御信号処理部２１３や実施例２の調光制御信号処理部２５０に限定されない。映像信号補正部２３１から出力され補正された映像信号を液晶装置１００の直前で遅延させて出力する構成も採用できる。
【０１１０】
（変形例３）上記実施形態の制御装置２００の構成は、これに限定されない。例えば、ランプ駆動回路２２０やビデオ処理回路２３０を除いた構成としてもよく、ランプ駆動回路２２０は光源側に、ビデオ処理回路２３０は光変調手段側に含める構成としてもよい。
【０１１１】
（変形例４）上記実施形態の制御装置２００を備える電子機器は、投射型表示装置１０００に限定されず、例えばＣＦＬやＬＥＤを光源として用いた直視型の表示装置を備えた電子機器においても適用することができる。適用可能な電子機器としては、パーソナルコンピューター、液晶テレビ、カーナビゲーション装置、ワークステーション、ＰＯＳ端末などを挙げることができる。
【符号の説明】
【０１１２】
１００…液晶装置、２００…制御装置、２１１…映像信号解析部、２１２…調光制御信号生成部、２１３…映像信号遅延部としての調光制御信号処理部、２１３ａ…統計処理部、２１４…映像補正信号生成部、２１５…記憶部、２５１…第１演算部、２５２…第２演算部、２５４…記憶部、１０００…電子機器としての投射型表示装置、１１０１…光源としてのランプユニット、１２１０，１２２０，１２３０…光変調手段としての液晶ライトバルブ、Ｍ１，Ｍ２，Ｍ３，Ｍ４…記憶部。
【図１】
2012042708.tif 000003
【図２】
2012042708.tif 000004
【図３】
2012042708.tif 000005
【図４】
2012042708.tif 000006
【図５】
2012042708.tif 000007
【図６】
2012042708.tif 000008
【図７】
2012042708.tif 000009
【図８】
2012042708.tif 000010
【図９】
2012042708.tif 000011
【図１０】
2012042708.tif 000012
【図１１】
2012042708.tif 000013
【図１２】
2012042708.tif 000014